(57)【要約】      （修正有）【課題】撮影台に移動することなく、介助者の手を借りることなく、また、患者に撮影の間、カセッテを背中で押し付ける苦痛を与えることなく、椅子に座ったまま最適所望位置にカセッテを保持しＸ線撮影を行うことができる椅子用カセッテ保持具を提供する。【解決手段】椅子に座した患者の背と背もたれの間にカセッテを任意の高さに配置してＸ線撮影を行う際に使用するカセッテ保持具１において、カセッテＫを載置するカセッテ受け３とカセッテの高さ位置を調整する基板２でカセッテを保持し、カセッテ受けは基板に複数配設された高さ調整穴に篏挿固定される係合片３２を有する。【選択図】図５
0003198113.tif 000002
【実用新案登録請求の範囲】
【請求項１】
椅子に座した患者の背と背もたれの間にカセッテを任意の高さに配置してＸ線撮影を行う際に使用するカセッテ保持具において、カセッテを載置するカセッテ受けとカセッテの高さ位置を調整する基板でカセッテを保持し、前記カセッテ受けには前記基板に複数配設された高さ調整穴に篏挿固定される係合片を有することを特徴とする椅子用カセッテ保持具。
【請求項２】
椅子に座した患者の背と背もたれの間にカセッテを任意の高さに配置してＸ線撮影を行う際に使用するカセッテ保持具において、カセッテを載置するカセッテ受けとカセッテの高さ位置を調整する基板でカセッテを保持し、前記カセッテ受けの載置方向を上下二方向となるように前記基板端面から異なる位置に固定し、基板を上下逆転させて配置することでカセッテの二種類の高さ調整を可能とすることを特徴とする椅子用カセッテ保持具。
【考案の詳細な説明】
【技術分野】
【０００１】      本考案は椅子用カセッテ保持具に関し、患者が椅子に座したままＸ線撮影ができる椅子用カセッテ保持具に関する。
【背景技術】
【０００２】      一般的にＸ線撮影は、立位あるいは仰臥位で行われるが、患者の症状や体力の程度で移動が困難な場合は、椅子に座したままでＸ線撮影が行われる。【０００３】      この場合は、患者の背と椅子の背もたれの間にカセッテを挿入し、所望の高さにするため当て物を当てたり、患者が背もたれに強く寄りかかったり、あるいは介助者に保持してもらうことで高さを調整してＸ線撮影を行っていた。【０００４】      このように椅子に座した患者の内臓あるいは脊椎のＸ線撮影を行う場合、一般的なＸ線撮影では、患者の介護者の用意、椅子から立位あるいは仰臥位の撮影台への移動を行わなければならず、転倒の危険性など、多くの手間と時間を必要とする。また、椅子に座したままでＸ線撮影を行おうとする場合には、介助者が手でカセッテを保持する場合や当て物をする場合は、介助者の被爆の危険性や患者の力のかけ具合の変化によるカセッテの位置ずれなどに注意を払う必要がある。
【考案の概要】
【考案が解決しようとする課題】
【０００５】      上述のように、椅子に座した患者のＸ線撮影を行う場合、患者の介護者の用意、椅子から撮影台への移動により生ずる転倒の危険性やカセッテの高さ調整のため、多くの手間と時間を要する。また、椅子に座したままでのＸ線撮影では、介助者が高さ調整のため手でカセッテを保持する場合や当て物をする場合は、介助者の被爆の危険性や患者の力のかけ具合の変化によるカセッテの位置ずれなどに注意を払う必要がある。【０００６】      本考案は、上述の不都合を解消しようとするもので、椅子から撮影台に移動することなく、介助者の手を借りることなく、また、患者に撮影の間、カセッテを背中で押し付ける苦痛を与えることなく、椅子に座ったまま最適所望位置にカセッテを保持しＸ線撮影を行うことができる椅子用カセッテ保持具を提供しようとするものである。
【課題を解決するための手段】
【０００７】      本願の請求項１に係る考案は、椅子に座した患者の背と背もたれの間にカセッテを任意の高さに配置してＸ線撮影を行う際に使用するカセッテ保持具において、カセッテを載置するカセッテ受けとカセッテの高さ位置を調整する基板でカセッテを保持し、前記カセッテ受けには前記基板に複数配設された高さ調整穴に篏挿固定される係合片を有するものである。【０００８】      また、本願の請求項２に係る考案は、椅子に座した患者の背と椅子背もたれの間にカセッテを任意の高さに配置してＸ線撮影を行う際に使用するカセッテ保持具において、カセッテを載置するカセッテ受けとカセッテの高さ位置を調整する基板でカセッテを保持し、前記カセッテ受けの載置方向を上下二方向となるように前記基板端面から異なる位置に固定し、基板を上下逆転させて配置することでカセッテの二種類の高さ調整を可能とするものである。
【考案の効果】
【０００９】      本考案の請求項１記載の椅子用カセッテ保持具は、カセッテ受けに設けられる係合片を基板に設けられた高さ調整穴に篏挿固定することで、カセッテを所望の高さに位置することができるため、患者や介助者になんら負担を与えることなくＸ線撮影を行うことができる。【００１０】      本考案の請求項２記載の椅子用カセッテ保持具は、カセッテ受けの載置方向を上下二方向となるように前記基板端面から異なる位置に固定し、基板を上下逆転させて配置することでカセッテの高さ調整を可能とするもので、使用される頻度の高いカセッテ位置高さを二通り設定されているものであるから、請求項１の効果に加え、患者あるいは撮影位置により、基板を上下逆転させるだけで所望位置にカセッテを保持でき、Ｘ線撮影を行うことができる。
【図面の簡単な説明】
【００１１】
【図１】  本考案の請求項１に係る椅子用カセッテ保持具の使用状態図である。
【図２】  本考案の請求項１に係る椅子用カセッテ保持具の分解斜視図である。
【図３】  本考案の請求項１に係る椅子用カセッテ保持具の基板の平面図である。
【図４】  本考案の請求項１に係る椅子用カセッテ保持具のカセッテ受の側面図である。
【図５】  本考案の請求項１に係る椅子用カセッテ保持具のカセッテ受と基板の係合状態を示す断面図である。
【図６】  本考案の請求項２に係る椅子用カセッテ保持具の側面図で、（ａ）が下端より一の高さを示す図で、（ｂ）が下端より他の高さを示す図である。
【実施例】
【００１２】      以下に本考案の実施例について図面を用いて説明する。図１は請求項１記載の椅子用カセッテ保持具の使用状態図である。図２は請求項１記載の椅子用カセッテ保持具の分解斜視図である。図３は請求項１記載の椅子用カセッテ保持具の基板の平面図である。図４は請求項１記載の椅子用カセッテ保持具のカセッテ受けの側面図である。図５は請求項１記載の椅子用カセッテ保持具のカセッテ受と基板の係合状態を示す断面図である。図６は請求項２記載の椅子用カセッテ保持具の側面図である。【００１３】      本考案の第１実施例について説明する。１はカセッテ保持具で基板２とカセッテ受３から構成され、基板２に設けられた複数の高さ調整穴２１にカセッテ受３の係合片３２を篏挿固定し、カセッテ受３のカセッテ載置部３１にカセッテＫ載置して、患者Ｃが座する椅子Ａの背もたれＢと患者Ｃの背中の間に配置して使用する。【００１４】      さらに詳述すると、基板２には高さ調整穴２１Ａ，２１Ａ，２１Ｂ，２１Ｂ，２１Ｃ，２１Ｃ，２１Ｄ，２１Ｄが設けられ、これら高さ調整穴２１にカセッテ受３の係合片を篏挿固定したときに、カセッテ受３のカセッテ載置部３１の基板下端２Ａからの高さがそれぞれ５０ｍｍ，１００ｍｍ，１５０ｍｍ，２００ｍｍとなるように高さ調整穴２１Ａ，２１Ａ，２１Ｂ，２１Ｂ，２１Ｃ，２１Ｃ，２１Ｄ，２１Ｄを設けてある。また、係合片３２の折り曲げ幅は基板２の厚みよりわずかに広くすることで、高さ調整穴２１にカセッテ受３を篏挿固定したときのがたつきを防止することができる。さらに、カセッテ受３の挟持部３３は基板２との間隔をカセッテＫの厚みとなるように形成されているので、カセッテＫのぐらつきを防止しカセッテＫの落下する虞も無い。【００１５】      このように構成された本考案の椅子用カセッテ保持具１は、Ｘ線撮影に際し、予め患者Ｃの撮影エリアがカセッテＫに収まるようにカセッテ受３の係合片３２を基板２の高さ調整穴２１に篏挿固定する。次いで、患者Ｃが座した椅子Ａの背もたれＢと患者Ｃの背の間にカセッテ載置部３１にカセッテＫを載置したカセッテ保持具１挿入し、椅子ＡをＸ線照射装置に対向する位置に移動しＸ線撮影を行う。あるいは、Ｘ線照射装置に対向する位置の椅子Ａの背もたれＢにカセッテＫを載置したカセッテ保持具１を配置し、患者Ｃを着座させＸ線撮影を行う。患者Ｃが座した椅子ＡにはＸ線撮影に最適高さに保持されたカセッテが配置されているので、良好にＸ線撮影が行われる。このときカセッテＫはカセッテ保持具１のカセッテ載置部３１に最適高さに保持されているので、介助者の補助や患者ＣのカセッテＫを背もたれＢに押し当てる動作などが不要で、患者や介助者になんらの負担を与えることなくＸ線撮影を行うことができる。【００１６】      尚、基板２に設けられる高さ調整穴２１の位置を基板下端２Ａから５０ｍｍ，１００ｍｍ，１５０ｍｍ，２００ｍｍの４段階としたが、寸法や段数は必要に応じて変更することができる。また、基板２に設けられた左右の高さ調整穴にカセッテ受３の２つの係合片３２を篏挿固定するものであるが、カセッテＫを安定して確実に保持できるものであれば、カセッテ受３の数や高さ調整穴２１の数はこの限りではない。【００１７】      次に本考案の第２実施例について説明する。基板４とカセッテ受５でカセッテＫを所定高さとなるよう保持し、患者Ｃの座する椅子Ａの背もたれＢに挿入配置してＸ線撮影を行うものであるが、図６に示されるように上下二方向からカセッテＫが保持できるようにカセッテ受５が基板端部４Ａから異なる位置に固定され、基板４を上下逆転してカセッテＫを載置して使用することで、使用される頻度の高い二つのカセッテ位置にカセッテＫを保持することができるものである。【００１８】      基板４には基板端部４Ａの一端から１００ｍｍの位置にカセッテＫがカセッテ受５のカセッテ載置部５１に載置されるようにカセッテ受５Ａが固定される。また、基板４を上下逆転し基板端部４Ａの他端から１５０ｍｍの位置にカセッテＫがカセッテ受５Ｂのカセッテ載置部５１に載置されるようにカセッテ受５が固定される。【００１９】      このように構成された第２実施例の椅子用カセッテ保持具１１は、Ｘ線撮影に際し、患者Ｃが座した椅子Ａの背もたれＢと患者Ｃの背の間に所望の位置に固定されたカセッテ受５Ａ，５Ｂのカセッテ載置部５１にカセッテＫを載置したカセッテ保持具１１挿入し、椅子ＡをＸ線照射装置に対向する位置に移動しＸ線撮影を行う。あるいは、Ｘ線照射装置に対向する位置の椅子Ａの背もたれＢにカセッテＫを載置したカセッテ保持具１１を配置し、患者Ｃを着座させＸ線撮影を行う。患者Ｃが座した椅子ＡにはＸ線撮影に最適高さに保持されたカセッテが配置されているので、良好にＸ線撮影が行われる。このときカセッテＫはカセッテ保持具１１のカセッテ載置部５１は頻繁に使用される２つの最適高さに保持することが可能となっている。また、基板４を上下逆転するだけでそれぞれの最適高さに簡単にカセッテＫを保持することが可能となるので、介助者の補助や患者ＣのカセッテＫを背もたれＢに押し当てる動作などが不要で、患者や介助者になんらの負担を与えることなくＸ線撮影を行うことができる。
尚、図面ではカセッテ受５が５Ａ，５Ｂの２部品で表されているが１部品で上下方向からカセッテＫを保持できるのであれば問題ない。【００２０】      本考案におけるカセッテ保持具１、１１の材質は、取扱性、操作性を勘案してアルミニウムなどの軽量の金属としたが、使用による磨耗性などに優れた樹脂や炭素繊維強化プラスチックで製作することも可能であることはいうまでも無い。
【符号の説明】
【００２１】    １        カセッテ保持具
１１      カセッテ保持具
２        基板
２Ａ      基板下端
２１      高さ調整穴
２１Ａ    高さ調整穴
２１Ｂ    高さ調整穴
２１Ｃ    高さ調整穴
２１Ｄ    高さ調整穴
３        カセッテ受
３１      カセッテ載置部
３２      係合片
３３      挟持部
４        基板
４Ａ      基板端部
５        カセッテ受
５Ａ      カセッテ受
５Ｂ      カセッテ受
５１      カセッテ載置部
Ａ        椅子
Ｂ        背もたれ
Ｃ        患者
Ｋ        カセッテ
【図１】
0003198113.tif 000003
【図２】
0003198113.tif 000004
【図３】
0003198113.tif 000005
【図４】
0003198113.tif 000006
【図５】
0003198113.tif 000007
【図６】
0003198113.tif 000008